(57)【要約】【課題】  ３つのスイッチにて、３種類の音（スタート時の音・室内音・ストップ時の音）を表現することにより、特に自動車に乗っていながら飛行機や列車に乗っている感覚を楽しむことができる自動車用効果音発生装置を提供する。【解決手段】  自動車内で、効果音を楽しむ自動車用の効果音発生装置において、音選択用の３つのスイッチを設けてなるスイッチＢＯＸと、３つのスイッチに対応する３種類の音を録音する録音ＢＯＸと、音を出力するスピーカーとからなることを特徴とする自動車用効果音発生装置。【選択図】図１
2009230089.tif 000002
【特許請求の範囲】
【請求項１】
自動車内で、効果音を楽しむ自動車用の効果音発生装置において、音選択用の３つのスイッチを設けてなるスイッチＢＯＸと、３つのスイッチに対応する３種類の音を録音する録音ＢＯＸと、音を出力するスピーカーとからなることを特徴とする自動車用効果音発生装置。
【請求項２】
３種類の音が、乗物のスタート時の音と室内音とストップ時の音であることを特徴とする請求項１記載の自動車用効果音発生装置。
【請求項３】
３種類の音が、飛行機の音で、離陸音と機内音と着陸音で構成されることを特徴とする請求項２記載の自動車用効果音発生装置。
【請求項４】
３種類の音が、列車の音で、発車時と車内音と停車音で構成されることを特徴とする請求項２記載の自動車用効果音発生装置。
【発明の詳細な説明】
【技術分野】
【０００１】  本発明は、主に自動車内で、効果音を楽しむもので、飛行機や列車の音も楽しめる自動車用効果音発生装置に関するものである。
【背景技術】
【０００２】  従来の技術として、車両の走行状態又はエンジンの動作状態の情報からなる音源情報に基づいて効果音を発生させる車両用効果音発生装置であって、前記音源情報を検出する音源情報検出手段と、効果音を発生させるための制御信号を、前記音源情報に基づいて生成する制御手段と、前記制御信号を効果音として出力する出力手段と、前記車両の走行環境を示す走行環境信号を生成し、前記制御手段に出力する走行環境信号生成手段と、を備え、前記制御手段は、前記制御信号の出力特性を、前記走行環境信号に基づいて変化させることを特徴とする車両用効果音発生装置がある。（特許文献１参照）【０００３】  また、他の従来技術として、各種エンジン音等を電子的にサンプル化した音源を、自動車原動機ならびにセンサから得られる情報をもとに大規模集積回路で合成し、車内オーディオシステムにてエンジン音の擬音を運転に連動させて再生させる。音源をチャンネル化することによって多種のエンジン音を変化させるものがある。（特許文献２参照）
【特許文献１】  特開２００７−２５６８４１号公報
【特許文献２】  特開２００５−３１６０６号公報
【発明の開示】
【発明が解決しようとする課題】
【０００４】  上記前者においては、車両の走行環境に応じた効果音を発生させるもので、よって、構造が複雑になり、かつ、コスト高になることから、商品化が難しいのではと思われる。【０００５】  また、上記後者においては、主に電気自動車において、ガソリン車のエンジン音を運転に連動して発生させるもので、基本的に上記前者の技術と同じである。
なお、両者とも、効果音を得るために、アクセル（シフト）等を踏みすぎて（チェンジしすぎ）しまい事故等を引き起こす等の問題を有している。【０００６】  本発明は、このような従来の構成が有していた問題を解決しようとするもので、３つのスイッチにて、３種類の音（スタート時の音・室内音・ストップ時の音）を表現することにより、特に自動車に乗っていながら飛行機や列車に乗っている感覚を楽しむことができる自動車用効果音発生装置を提供することを目的とする。
【課題を解決するための手段】
【０００７】  本発明は、上記目的を達成するために、自動車内で、効果音を楽しむ自動車用の効果音発生装置において、音選択用の３つのスイッチを設けてなるスイッチＢＯＸと、３つのスイッチに対応する３種類の音を録音する録音ＢＯＸと、音を出力するスピーカーとからなる。
３種類の音が、乗物のスタート時の音と室内音とストップ時の音である。
３種類の音が、飛行機の音で、離陸音と機内音と着陸音で構成される。
３種類の音が、列車の音で、発車時と車内音と停車音で構成されることを特徴とする。
【発明の効果】
【０００８】１）、３つのスイッチに対応する３種類の音を録音し、再生するもので、３種類の音が、乗物のスタート時の音・室内音・ストップ時の音を録音することで、必要なときに、必要な効果音を楽しむことができ、安全運転にもつながる。つまり、スタート時の音のみを楽しんだり、走行時に室内音のみを楽しむことができる。
２）、３種類の音が、飛行機の音とした場合、自動車を運転しながら、飛行機を運転する気分を味わえ、同乗の方は飛行機に乗った気分を味わえ、新しい感覚のドライブ等を楽しむことができる。
３）、また、３種類の音が列車の音とし、例えば蒸気機関車とした場合、運転手は、蒸気機関車の運転手の気分を味わい、同乗者は蒸気機関車に乗った気分を味わえ、レトロな感覚でドライブ等を楽しむことができる。
【発明を実施するための最良の形態】
【０００９】  １は、自動車用効果音発生装置である。
２は、音選択用の３つのスイッチで、第１スイッチ２ａ・第２スイッチ２ｂ・第３スイッチ２ｃから構成される。。
３は、３種類の音を録音する録音ＢＯＸで、例えば、飛行機の離陸音と機内音と着陸音を録音し、離陸音を第１スイッチ２ａに対応させ、機内音を第２スイッチ２ｂに対応させ、着陸音を第３スイッチ２ｃに対応させるものであるが、順番を変えてもよい。
４は、音を出力するスピーカーである。【００１０】  上記自動車用効果音発生装置１の使用例について下記に述べる。
まず、自動車（図示せず）内の例えばコンソールボックス（図示せず）の上面に設置する。
この状態で、キーを回すと同時に、手動でスイッチ２の第１スイッチ２ａをＯＮにすることにより、例えば飛行機の離陸音がスピーカー４より出力（再生）される。
つぎに。離陸音と共に自動車を発車することができる。
つづいて、ある程度走行（例えば１分くらい）した時点で、スイッチ２の第２スイッチ２ｂに切り換えることにより、スピーカー４より機内音を出力（再生）することができる。
このとき、出力（再生）する時間は特に限定するものではない。
そして、最終的に自動車を停車させるとき、スイッチ２の第３スイッチ２ｃに切り換えることにより、スピーカー４より着陸音を出力（再生）することができるものである。
つまり、自動車を発車させ、走行させ、停車させる３つの流れを、例えば飛行機内にいる感覚で、ドライブ等ができるものであり、新しい楽しみ方を提案できる。【００１１】  なお、上記実施例において、録音する音は他に蒸気機関車・プロペラ機・ヘリコプター等、好みに応じて設定すればよい。
また、スイッチの形態は、同様な機能を有するものであれば特に限定しない。
さらに、録音時間等も自由に設定できるものとし、スピーカーのみならず、トランスミッターを使用してオーディオにて聞くことも一考である。
さらにまた、スイッチ等の取り付け位置は、使用しやすい場所に取り付ければよい。
【図面の簡単な説明】
【００１２】
【図１】  本発明の一実施例を示す自動車用効果音発生装置の構成図。
【符号の説明】
【００１３】１−−−自動車用効果音発生装置
２−−−スイッチ
２ａ−−第１スイッチ
２ｂ−−第２スイッチ
２ｃ−−第３スイッチ
３−−−録音ＢＯＸ
４−−−スピーカー
【図１】
2009230089.tif 000003